(57)【要約】【課題】生体異常による生体情報の変動を確実に記憶でき、かつ生体情報の記録データ量を削減して記憶装置の小容量化を図る。【解決手段】生体センサにより検出された生体情報を取得する生体情報取得部と、動きセンサにより検出された前記生体の動き情報を取得する動き情報取得部と、前記生体情報が予め設定した正常範囲外に変動したか否かを判定する変動判定部と、前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する記録制御部とを備える。【選択図】図１
2018153257.tif 000002
【特許請求の範囲】
【請求項１】
生体センサにより検出された生体情報を取得する生体情報取得部と、
動きセンサにより検出された生体の動き情報を取得する動き情報取得部と、
前記生体情報が予め設定した正常範囲外に変動したか否かを判定する変動判定部と、
前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する記録制御部とを備える、生体情報記録装置。
【請求項２】
前記記録制御部は、
前記生体情報が前記正常範囲外に変動した場合に当該生体情報の記録を開始する記録開始部と、
前記生体情報の変動期間と対応する期間に前記生体の動き情報が検出された場合には、前記記録された生体情報を削除する削除部と
を備える、請求項１に記載の生体情報記録装置。
【請求項３】
前記生体情報は、前記生体の血圧を連続的に検出したものである、請求項１または２に記載の生体情報記録装置。
【請求項４】
前記生体情報は、前記生体の心臓または呼吸の周期に連動して変化する波形を連続的に検出したものである、請求項１または２に記載の生体情報記録装置。
【請求項５】
前記生体の動き情報は、前記生体の動きを加速度センサにより検出されたものである、請求項１乃至４のいずれかに記載の生体情報記録装置。
【請求項６】
呼吸センサから前記生体の呼吸状態を表す情報を取得する呼吸情報取得部を、さらに具備し、
前記記録制御部は、
前記呼吸センサから取得した呼吸状態を表す情報をもとに、前記生体情報の前記正常範囲外への変動が呼吸変動によるものか否かを判定する呼吸変動判定部と、
前記生体情報の前記正常範囲外への変動が前記呼吸変動によるものと判定された場合には、前記生体情報の記録を行わないように制御する第１の制御部と
を備える、請求項１乃至５のいずれかに記載の生体情報記録装置。
【請求項７】
呼吸センサから前記生体の呼吸状態を表す情報を取得する呼吸情報取得部を、さらに具備し、
前記記録制御部は、
前記呼吸センサから取得した呼吸状態を表す情報をもとに、前記生体情報前記生体の無呼吸の期間を検出する無呼吸期間検出部と、
前記動きセンサにより前記生体が動いていることが検出された場合でも、前記無呼吸期間検出部により検出された無呼吸期間の終了直後の呼吸期間に前記血圧センサにより検出された血圧が上昇することが検出された場合には、前記血圧センサにより検出された血圧を記録する第２の制御部と
を備える、請求項３に記載の生体情報記録装置。
【請求項８】
生体センサにより、生体から生体情報を検出し、
動きセンサにより、前記生体の動き情報を検出し、
前記生体情報が予め設定した正常範囲外に変動したか否かを判定部により判定し、
記録制御部により、前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する、生体情報記録方法。
【請求項９】
生体情報を検出する生体センサと、
前記生体の動き情報を検出する動きセンサと、
前記生体情報が予め設定した正常範囲外に変動したか否かを判定する変動判定部と、
前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する記録制御部と
を備える、生体情報記録装置。
【請求項１０】
生体情報記録装置と、この生体情報記録装置に通信ネットワークを介して接続されるサーバ装置とを備えるシステムであって、
前記生体情報記録装置は、
生体センサにより検出された生体情報を取得してメモリに記録する記録部と、
前記取得された生体情報を前記サーバ装置へ送信する生体情報送信部と、
動きセンサにより検出された前記生体の動き情報を前記サーバ装置へ送信する動き情報送信部と
を備え、
前記サーバ装置は、
前記生体情報が予め設定した正常範囲外に変動したか否かを判定する変動判定部と、
前記変動判定部による判定結果と、前記動き情報とに基づいて、前記生体情報の変動期間と対応する期間に前記生体の動き情報が検出された場合には、前記変動期間に対応する生体情報を前記生体情報記録装置のメモリから削除させる削除制御部と
を備える、システム。
【請求項１１】
請求項１乃至７のいずれかに記載の生体情報記録装置が備える各部としてコンピュータを機能させるプログラム。
【発明の詳細な説明】
【技術分野】
【０００１】
この発明は、連続的に測定される生体情報を記録するために使用される生体情報記録装置、システム、方法及びプログラムに関する。
【背景技術】
【０００２】
生体情報を活用して早期に生体の異変を察知して治療に役立てることは、センサ技術の発展に伴い、高性能なセンサが容易に利用できる環境になり医療における重要性も次第に増してきている。  
これまでに例えば、複数のバイタルセンサで計測したデータをサーバ側で時刻同期させて格納する装置がある（例えば、特許文献１参照）。
【先行技術文献】
【特許文献】
【０００３】
【特許文献１】特開２００６−２５４９４８号公報
【発明の概要】
【発明が解決しようとする課題】
【０００４】
近年、例えばユーザの手首に装着するだけでユーザの血圧を１拍ごとに連続測定可能な（例えばトノメトリ法の）血圧計が実現されている。このような血圧計を用いると、ユーザに大きな負担を掛けることなく血圧を連続測定することができ、血圧変動等の生体の異常を早期に捉えることが可能になる。
【０００５】
しかし、血圧に限らず、生体情報を連続測定するには、測定データを記録するために大容量の記憶装置が必要となり、装置のコストアップ等を招く。
【０００６】
この発明は上記事情に着目してなされたもので、その目的とするところは、生体異常に起因する生体情報の変動を漏れなく記録しつつ、生体異常に因らない不要な生体情報を記録しないようにし、これにより生体異常を確実に判定でき、かつ生体情報の記録データ量を削減することができる生体情報記録装置、システム、方法及びプログラムを提供することにある。
【課題を解決するための手段】
【０００７】
上記課題を解決するためにこの発明の第１の態様は、生体情報記録装置が、生体センサにより検出された生体情報を取得する生体情報取得部と、動きセンサにより検出された前記生体の動き情報を取得する動き情報取得部と、前記生体情報が予め設定した正常範囲外に変動したか否かを判定する変動判定部と、前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する記録制御部とを備えるようにしたものである。
【０００８】
この発明の第２の態様は、前記記録制御部が、前記生体情報が前記正常範囲外に変動した場合に当該生体情報の記録を開始する記録開始部と、前記生体情報の変動期間と対応する期間に前記生体の動き情報が検出された場合には、前記記録された生体情報を削除する削除部とを備えるようにしたものである。
【０００９】
この発明の第３の態様は、前記生体情報として、前記生体の血圧を連続的に検出したものを用いるようにしたものである。
【００１０】
この発明の第４の態様は、前記生体情報として、前記生体の心臓または呼吸の周期に連動して変化する波形を連続的に検出したものを用いるようにしたものである。
【００１１】
この発明の第５の態様は、前記生体の動き情報として、生体の動きを加速度センサにより検出されたものを用いるようにしたものである。
【００１２】
この発明の第６の態様は、生体情報記録装置が、呼吸センサから生体の呼吸状態を表す情報を取得する呼吸情報取得部をさらに具備し、前記記録制御部により、前記呼吸センサから取得した呼吸状態を表す情報をもとに、前記生体情報の前記正常範囲外への変動が呼吸変動によるものか否かを判定し、前記生体情報の前記正常範囲外への変動が前記呼吸変動によるものと判定された場合には、前記生体情報の記録を行わないように制御するようにしたものである。
【００１３】
この発明の第７の態様は、生体情報記録装置が、呼吸センサから前記生体の呼吸状態を表す情報を取得する呼吸情報取得部をさらに具備し、前記記録制御部が、前記呼吸センサから取得した呼吸状態を表す情報をもとに前記生体の無呼吸の期間を検出する無呼吸期間検出部と、前記動きセンサにより前記生体が動いていないことが検出された場合でも、前記無呼吸期間検出部により検出された無呼吸期間の終了直後の呼吸期間に前記血圧センサにより検出された血圧が上昇することが検出された場合には、前記血圧センサにより検出された血圧を記録する記録部とを備えるようにしたものである。
【発明の効果】
【００１４】
この発明の第１の態様によれば、生体センサにより検出された生体情報が予め設定した正常範囲外に変動した場合で、かつ当該生体情報の変動期間と対応する期間に上記生体の動き情報が検出されない場合に、上記生体情報の記録が行われる。その一方で、上記生体情報が正常範囲外に変動した場合でも、当該生体情報の変動期間と対応する期間に上記生体の動き情報が検出された場合には、上記生体情報の記録は行われない。すなわち、生体の動きに因らない生体情報の変動については確実に記録され、生体の動きに起因する生体情報の動きについては記録されない。このため、生体の状態を判定するために必要な生体情報については漏れなく記録した上で、不要な生体情報は記録しないようにすることができ、これによりメモリの容量を削減することができる。
【００１５】
この発明の第２の態様によれば、生体情報が正常範囲外に変動すると当該生体情報の記録が開始され、その後上記生体情報の変動期間と対応する期間に生体の動き情報が検出された場合には、上記記録された生体情報が削除される。このため、生体の動きの情報をリアルタイムに取得できなくても、また取得した生体の動きの情報の判定処理がリアルタイムに行えなくても、生体の動きに起因する実質的に不要な生体情報を削除することができる。
【００１６】
この発明の第３の態様によれば、生体情報として、生体の血圧を連続的に測定したものが用いられる。このため、生体の動きに起因しない血圧の異常変動を欠損することなく確実に記録することができる。なお、生体の動き情報についても連続測定されたものを用いれば、生体情報のうち生体の動きに起因する情報については漏れなく記録対象から除外することができる。
【００１７】
この発明の第４の態様によれば、生体情報として、生体の心臓または呼吸の周期に連動して変化する波形を連続的に検出したものが用いられる。このようにすると、生体の心電や脈波等の、心臓または呼吸の周期に連動して変化する波形についても、生体の異常を診断するために必要な部分のみを記録することが可能となり、これにより記憶装置の記憶容量を小容量に抑えることができる。
【００１８】
この発明の第５の態様によれば、生体の動きの情報として、加速度センサにより検出されたものが用いられる。このため、生体の直線方向の動きや振動を検出することができる。
【００１９】
この発明の第６の態様によれば、生体の呼吸状態をもとに生体情報の変動が呼吸性変動であるか否かが判定され、呼吸性変動と判定された場合には上記生体情報が記録されないように制御される。このため、体位変化が検出されない場合でも、生体情報の変動が呼吸性変動である場合には、生体情報が記憶されないようにすることができ、これにより記録装置の記憶容量をさらに減らすことができる。
【００２０】
この発明の第７の態様によれば、呼吸センサから取得した呼吸状態を表す情報をもとに生体の無呼吸期間が検出される。そして、動きセンサにより生体が動いていることが検出された場合でも、上記無呼吸期間の終了直後の呼吸期間に検出された血圧の上昇が検出された場合には、当該血圧が記録される。このため、睡眠時無呼吸と関連して血圧が急激に上昇する、いわゆる血圧サージを漏れなく記録することができる。
【００２１】
この発明の各態様によれば、生体異常に起因する生体情報の変動を漏れなく記録しつつ、不要な生体情報を記録しないようにし、これにより生体異常を確実に判定でき、かつ生体情報の記録データ量を削減することができる生体情報記録装置、システム、方法及びプログラムを提供することができる。
【図面の簡単な説明】
【００２２】
【図１】実施形態に係る生体情報記録装置を示すブロック図。
【図２】図１の生体情報記録装置の一具体例である腕時計型のウェアラブル端末を示す図。
【図３】図１の生体情報記録装置がスマートデバイスに接続し、スマートデバイスがサーバに接続することを示す図。
【図４】図１の生体情報記録装置の動作の一例を示すフローチャート。
【図５Ａ】無呼吸による血圧サージの場合での血圧値の時間変動を示すグラフ。
【図５Ｂ】図５Ａと同時刻での３軸加速度とそれらの合成加速度を示すグラフ。
【図６Ａ】呼吸性変動の場合での血圧値の時間変動を示すグラフ。
【図６Ｂ】図６Ａと同時刻での３軸加速度とそれらの合成加速度を示すグラフ。
【図７Ａ】体位変化による変動の場合での血圧値の時間変動を示すグラフ。
【図７Ｂ】図７Ａと同時刻での３軸加速度とそれらの合成加速度を示すグラフ。
【発明を実施するための形態】
【００２３】
以下、図面を参照してこの発明に係る実施形態の生体情報記録装置、システム、方法及びプログラムを説明する。なお、以下の実施形態では、同一の番号を付した部分については同様の動作を行うものとして、重ねての説明を省略する。
【００２４】
［第１実施形態］  
本実施形態に係る生体情報記録装置１００について図１、図２、及び図３を参照して説明する。  
生体情報記録装置１００は、生体センサ１１０、加速度センサ１２１、時計部１２２、ユーザ入力部１２３、データ取得部１３１、データ記録部１３２、データ削除部１３３、データ記憶部１３４、生体情報変動判定部１４０、データ解析部１５０、及び通信部１６０を含んでいる。生体センサ１１０は血圧センサ１１１、脈拍センサ１１２、及び呼吸センサ１１３を含む。
【００２５】
生体センサ１１０は、生体から生体情報を検出すると共に、時計部１２２から時刻情報を取得して、時刻と関連付けられた生体情報を出力する。生体情報としては例えば、血圧、脈拍、及び呼吸の状態がある。血圧センサ１１１は、生体から血圧値を取得し、時計部１２２から取得し続けている時刻と関連付けられた血圧値を出力する。脈拍センサ１１２は、生体から脈拍を取得し、時計部１２２から取得し続けている時刻と関連付けられた脈拍数を出力する。呼吸センサ１１３は、生体の呼気の状態、つまり呼気しているか及び／または吸気していないかを表す情報を取得し、時計部１２２から取得し続けている時刻と関連付けられた呼気期間を表す情報（呼吸データとも称す）を出力する。
【００２６】
本実施形態では、血圧センサ１１１、脈拍センサ１１２、及び呼吸センサ１１３は連続して生体情報を検出し続け、例えば２４時間検出し続け検出データを次段のデータ取得部１３１へ渡す。しかし、血圧センサ１１１、脈拍センサ１１２、及び呼吸センサ１１３は、時間的に連続して測定せずとも、定期的に測定してもよい（例えば、カフを使用してオシロメトリック法による血圧測定がある）。他に、血圧センサ１１１は、予め決めた条件に達したことをトリガーとして測定を開始するトリガー測定をしてもよい。トリガー測定は、時間的に連続して測定はしないが、トリガーを適切に設定すれば、効果的な測定ができ、連続測定に近い効果が期待できる。
【００２７】
加速度センサ１２１は、生体に接続させて（例えば、生体に装着して）生体の動きを検出する。本実施形態の加速度センサ１２１は、生体の３軸加速度を検出してそのデータを次段のデータ取得部１３１へ渡す。なお、加速度センサ１２１は３軸に限定されない。例えば、動きセンサとしては、直線的な動作を検出する加速度センサの他に回転動作を検出する角速度センサが知られている。そこで、これらのセンサを適宜組み合わせて、Ｘ，Ｙ，Ｚ軸の加速度とロール軸、ピッチ軸、ヨー軸の角速度とをそれぞれ検出可能なセンサを用いてもよく、またロール軸、ピッチ軸、ヨー軸の角速度を検出可能な３軸角速度センサを用いてもよい。  時計部１２２は、現在時刻を出力できるように構成されていて、例えば通常の時計である。なお時計部１２２は例えば、外部から時刻校正情報を取得して正しい時刻を出力できるように設定されていてもよい。
【００２８】
ユーザ入力部１２３は、ユーザからの指示を取得して生体情報記録装置１００を操作するための指示信号をデータ取得部１３１へ渡す。ユーザ入力部１２３は例えば、電源のオンオフをユーザから受け付け、生体情報記録装置１００をオンオフする。また測定の開始は、例えば、脈拍センサ１１２が脈拍を取得し始めたのをデータ取得部１３１が検出することを契機とする。
【００２９】
データ取得部１３１は、生体センサ１１０、加速度センサ１２１、及びユーザ入力部１２３からデータを取得し、そのデータの一式を生体情報変動判定部１４０へ渡し、生体情報変動判定部１４０の判定結果に基づいて、データ記録部１３２及び／またはデータ削除部１３３へ指示を渡す。
【００３０】
生体情報変動判定部１４０は、データ取得部１３１からのデータを基に、血圧値が変動しているかどうかを判定する。生体情報変動判定部１４０は、例えば、血圧値が変動して予め設定した正常範囲を外れた場合に血圧値が変動したと判定する。また、血圧値の一定時間当たりの変化量（微分値）を検出し、この微分値が予め設定した値を超えた場合に血圧値が変動したと判定するようにしてもよい。なお、生体情報変動判定部１４０は、血圧変動に限らず、必要に応じて脈拍や心電、呼吸の変動を判定するようにしてもよい。
【００３１】
データ記録部１３２は、生体情報変動判定部１４０から例えばデータ取得部１３１経由で生体の血圧値に変動があるかどうかを受け取り、生体の血圧値に変動があると判定した場合には、データ取得部１３１が生体センサ１１０から取得したデータ（生体情報、例えば血圧値）と加速度センサ１２１から取得したデータ（加速度データ、例えば３軸加速度）とをデータ記憶部１３４に記録し始める。
【００３２】
データ記録部１３２は、血圧値に変動があると生体情報変動判定部１４０が判定した期間内に、データ取得部１３１が生体センサ１１０から取得した生体情報を時間と共にデータ記憶部１３４に記録する。データ記録部１３２は、生体センサ１１０からの上記の生体情報に加え、例えば呼吸センサ１１３からの呼気数及び吸気数等の生体情報も時間と共にデータ記憶部１３４に記録してもよい。
【００３３】
データ記録部１３２は、例えば血圧値が上記正常範囲に戻ったことが上記生体情報変動判定部１４０により判定されるまでデータ記憶部１３４に生体情報を記録し、上記生体情報変動判定部１４０により再び血圧値の変動が判定されるまで、生体情報の記録を停止する。なお、血圧値の微分値を判定して上記生体情報の記録を開始した場合も、生体情報の血圧値が上記正常範囲に戻ったことが判定された時点で生体情報の記録を終了する。
【００３４】
データ記憶部１３４は、少なくとも生体センサ１１０から受け取る生体情報と加速度センサ１２１からの加速度データとを、データ記録部１３２からの指示に応じて時間と共に記憶する。また、データ削除部１３３から指定されたデータを削除する旨の指示があった場合にはデータ記憶部１３４はその指定されたデータを削除する。データ記憶部１３４は、さらに呼吸データ及び脈拍データの少なくとも１つを記録してもよい。
【００３５】
データ削除部１３３は、例えばユーザ入力部１２３から指定されたデータを削除する旨の指示があった場合には、データ記憶部１３４からその指定されたデータを削除してもよい。
【００３６】
データ解析部１５０は、データ記憶部１３４に記憶された生体情報及び加速度データの時間履歴を取得し、血圧が変動している期間中の生体情報及び加速度データを解析する。データ解析部１５０は、生体情報及び加速度データが時間と共にどう変化するかを解析し、例えば無呼吸による血圧の急激な変化（血圧サージ）なのか、呼吸に伴う血圧の正常な変動なのか、体位変動による変動なのかを判定する。なお、生体情報として呼吸データを測定すれば、データ解析部１５０は加速度データだけを用いるよりも無呼吸かどうかをより確実に識別することができる。
【００３７】
本実施形態では、データ解析部１５０が呼吸による特に異常ではない血圧変動と、体位が変ったことによる血圧変動の場合には、生体異常の特徴を表すデータではない（正常であるデータ）として、例えば、データ削除部１３３へこの血圧の時間に関する生体情報を削除するように指示する。
【００３８】
一方、データ解析部１５０が無呼吸による血圧サージ等が血圧変動の原因であると特定して場合には、生体異常を表す特徴あるデータ（正常ではないデータ）として、生体情報を削除することなくデータ記憶部１３４に記憶を保持させる。この記憶された生体情報は、後に血圧変動の原因を特定するための分析に供される。
【００３９】
通信部１６０は例えば、データ記憶部１３４に記憶されるデータを外部のサーバに送信したり、外部の装置から生体情報記録装置１００の開始または終了の指示を受け取る。
【００４０】
次に、生体情報記録装置１００の具体的な装置の一例と他の装置との連携について図２及び図３を参照して説明する。
【００４１】
生体情報記録装置１００はどんな形態でも構わないが、例えば図２に示される腕時計型のウェアラブル端末であってもよい。この生体情報記録装置１００は、例えば、今日の日付、現在時刻などの一般的な時計に表示される情報に加えて、ユーザとなる生体の収縮期血圧（Systolic Blood Pressure）、拡張期血圧（Diastolic Blood Pressure）および脈拍数などの生体情報を表示する。生体情報記録装置１００は、ユーザの生体情報を例えば一拍ごとに連続測定し、最新の収縮期血圧および拡張期血圧を表示することができる。
【００４２】
生体情報記録装置１００は、図３に例示されるように、スマートデバイス（典型的にはスマートフォン、タブレット）２００に接続されていてもよい。スマートデバイス２００は、生体情報記録装置１００によって送信されるデータをグラフ化して表示したり、当該データをネットワークＮＷ経由でサーバ３００に送信したりする。スマートデバイス２００には、データを管理するためのアプリケーションがインストールされていてもよい。
【００４３】
サーバ３００は、生体情報記録装置１００またはスマートデバイス２００から送信されたデータを蓄積する。サーバ３００は、例えばユーザの健康指導または診断に供するために、医療機関に設置されたＰＣ（Personal Computer）などからのアクセスに応じて当該ユーザの生体情報のデータを送信してもよい。
【００４４】
また、後述されるようにサーバ３００は、第２実施形態でのサーバ７００になってもよい。この場合は、サーバ３００がデータ解析部１５０及び生体情報変動判定部１４０を備えていてもよい。サーバ３００は、ユーザに閲覧させるために生体情報記録装置１００またはスマートデバイス２００に送信する。
【００４５】
これとは異なり、スマートデバイス２００がデータ解析部１５０及び生体情報変動判定部１４０を備えていてもよい。この場合には、スマートデバイス２００は、ユーザに閲覧させるために生体情報記録装置１００に表示させるデータを送信する。また、スマートデバイス２００でデータを閲覧するようにしてもよい。
【００４６】
次に生体情報記録装置１００の動作について図４を参照して説明する。
（ステップＳ４０１）生体情報記録装置１００が対象となる生体の血圧の測定を開始する。すなわち、血圧センサ１１１が生体の血圧の測定を開始する。測定の開始は、例えば、脈拍センサ１１２が脈拍を取得し始めたのをデータ取得部１３１が検出することを契機とする。また、ユーザ入力部１２３にユーザが生体情報記録装置１００の電源をオンにしたことを契機として血圧の測定を開始してもよい。
【００４７】
（ステップＳ４０２）生体センサ１１０の血圧センサ１１１が血圧の測定を続ける。本実施形態の生体情報記録装置１００では、血圧センサ１１１は連続測定が可能なセンサである。血圧センサ１１１は例えば、ユーザの手首に装着するだけでユーザの血圧を１拍ごとに連続測定して２４時間連続測定が可能である。このステップでは血圧センサ１１１が血圧を測定してデータ取得部１３１にデータを渡し、生体情報変動判定部１４０もこのデータを受け取るが、この時点では血圧値に変動があることを検出していないので、この値はデータ記憶部１３４には記録されない。
【００４８】
すなわち、血圧値が変動し始めてからしか生体の血圧の時間履歴のデータ、呼吸の時間履歴のデータ、及び生体の加速度データはデータ記憶部１３４に記録されない。このため、血圧の時間履歴のデータ、呼吸の時間履歴のデータ、及び生体の加速度データのうち、生体情報が変動したときのデータだけが記録され、これによりデータ記憶部１３４の記憶容量を不要に圧迫することがなくなり、データ資源を効率的に活用することができる。
【００４９】
（ステップＳ４０３）生体情報記録装置１００が測定対象となる生体の血圧値が変動したかどうかを判定し、血圧値が変動したと判定した場合にはステップＳ４０４に進み、変動していないと判定した場合にはステップＳ４０２に戻り血圧の測定を続ける。例えば、血圧値が予め設定した正常範囲を超えた場合に、生体情報記録装置１００は血圧値が変動したと判定する。なお、血圧値の一定時間当たりの変動量（微分値）を監視する場合は、例えば血圧値が１秒当たり１０ｍｍＨｇ以上変動した場合に、血圧値が変動したと判定する。
【００５０】
（ステップＳ４０４）データ記録部１３２は、上記ステップＳ４０３で血圧値の変動が判定されると、その時点から上記データ取得部１３１により取得された生体情報をデータ記憶部１３４に記録する処理を開始する。そして、上記生体情報判定部１４０により血圧値が正常範囲に戻ったと判定されるまで、上記生体情報の記録処理を続ける。
【００５１】
（ステップＳ４０５）データ解析部１５０は、上記データ記憶部１３４に記憶された血圧データの変動値を、加速度データ、及び呼吸データを加味して解析する。データ解析部１５０は、血圧データの変動の原因を探る。
【００５２】
（ステップＳ４０６）データ解析部１５０が、血圧データの変動値と、例えば、加速度データと、呼吸データとを比較検討して、血圧データの変動の原因を特定する。この例では、加速度データの変動によって体位は動いているのかどうか、呼吸データによって呼吸が停止（無呼吸）の期間はないか、等を考察して原因を特定することになる。別途、図５Ａ以下を参照して説明する。
【００５３】
（ステップＳ４０７）データ解析部１５０が、ステップＳ４０６での血圧の変動の特定された原因によって、変動しているこの血圧データが特徴あるデータかどうかを判定する。この変動している血圧データが特徴あると判定された場合にはステップＳ４０８に進み、データが特徴あると判定されなかった場合にはステップＳ４０９に進む。ここで血圧データが特徴あるデータとは、血圧データの血圧値の時間変動が正常でないことを示す。典型的な例では、血圧値の時間変動が病気に起因する場合であり、例えば閉塞性睡眠時無呼吸症候群（obstructive sleep apneasyndrome：OSAS）がある。
【００５４】
（ステップＳ４０８）本実施形態では、血圧データの変動が正常でない場合に注目するので、病気に起因するような血圧データの場合には注目に値する有用なデータとみなす。このため例えば、データ解析部１５０がデータ記録部１３２に指示して、この血圧データと関連するデータ（例えば、加速度データ及び呼吸データ）とをデータ記憶部１３４に記録する。ステップＳ４０４で既に記録しているが、このステップでその記録を恒久的なものにするように、例えば属性を変更する。もしくは、ステップＳ４０４に一時的に記憶する（例えば、アクセス速度が高速だが容量が小さい）記憶装置に記録し、ステップＳ４０８では例えば、アクセス速度は遅いがより信頼性が高い大容量な記憶装置に血圧データと関連するデータとを記憶するとしてもよい（データ記憶部１３４がこれらの２種類の記憶装置を備えていてもよい）。また、ステップＳ４０８は削除して、記憶装置を複数設けずにステップＳ４０４でのデータ記憶部１３４のみを設けてもよい。
【００５５】
（ステップＳ４０９）本実施形態では、血圧データの変動が正常でない場合に注目するので、例えば単なる体位の変化による血圧の変動であると判定されれば、データ削除部１３３がこの血圧データとそれに関連するデータとを削除する。すなわち、血圧データに異常が見当たらないとデータ解析部１５０が判定した場合には、データ解析部１５０がデータ削除部１３３に指示を出しデータ記憶部１３４に記憶されるこの血圧データ及びそれに関連するデータを削除する。より詳細には、血圧の変動が閾値より小さくなった血圧データ及びそれに関連するデータが削除対象になる。
【００５６】
なお、以上の説明では血圧の変動に応じて生体情報を記憶制御する場合を例にとって説明したが、心電や脈波などの他の生体情報の測定データの変動に応じて、生体情報を記憶制御するようにしてもよい。
【００５７】
次に、データ解析部１５０が、生体情報（ここでは血圧）及び加速度データが時間と共にどう変化するかを解析し、血圧が変動した原因が病気に起因するような血圧データの場合には注目に値する有用なデータであり、この血圧の変動と加速度データについて図５Ａ、図５Ｂ、図６Ａ、図６Ｂ、図７Ａ、及び図７Ｂを参照して説明する。
【００５８】
ここでは、血圧データ及び加速度データを挙げて３つの例について説明する。第１例が「無呼吸による血圧サージ」であり、第２例が「呼吸性変動」であり、第３例が「体位変化による変動」である。ここでは加速度センサは生体に装着し、生体の向きの変化を正確に表現する。
【００５９】
図５Ａ、図６Ａ、及び図７Ａに示される曲線５０１，６０１，７０１は収縮期血圧（systolic blood pressure）であり、曲線５０２，６０２，７０２はＢｂＢ（beat by beat：一心拍ごとの血圧）であり、曲線５０３，６０３，７０３は拡張期血圧（diastolic blood pressure）である。また、図５Ｂ、図６Ｂ、及び図７Ｂに示される曲線５０５，６０５，７０５はＸ方向の加速度を表し、曲線５０６，６０６，７０６はＹ方向の加速度を表し、曲線５０７，６０７，７０７はＺ方向の加速度を表し、曲線５０８，６０８，７０８はＸ方向、Ｙ方向、及びＺ方向の加速度を合成した合成加速度を表す。
【００６０】
（第１例）この例は特徴ある血圧の変動である例であり、血圧変動が睡眠時無呼吸症候群（ＯＳＡＳ）による場合である。  
図５Ｂに示される３軸加速度によると、対象となる生体はほとんど動いておらず、例えば、体位すら変えていないことがわかる。図５Ａを見ると、この状態で無呼吸期間５０４が規則的に４つ示されていて、その無呼吸期間５０４の合間の全てで血圧値の上昇（約３０ｍｍＨｇ）が測定されている。これは典型的なＯＳＡＳの症状である。ＯＳＡＳの特徴は、夜間血圧の変動が大きいことであり、ＯＳＡＳの夜間無呼吸発作時に、無呼吸の後半から無呼吸が解除される時に一致して顕著な血圧上昇（スリープサージ）が引き起こされる。なお、このスリープサージは２０ｍｍＨｇ程度から１００ｍｍＨｇ以上まで幅広く、個人差がある。なお、時計部１２２から時刻を取得すれば、睡眠時間かどうかの判定の精度が向上できる（これは以下の２つの例でも当てはまる）。
【００６１】
本実施形態では、血圧変動の原因が上記のようにＯＳＡＳと判定された場合には、上記血圧変動の検出期間にデータ記憶部１３４に記憶された生体情報を削除対象とせず、記録を保持させる。
【００６２】
（第２例）この例は生体の異常に因らない特徴のない血圧の変動である例であり、血圧変動が呼吸性変動による場合である。呼吸性変動とは、呼吸に同期した血圧変動であり安静状態でも発生する現象であり、病気が起因している血圧の変動ではない。  
図６Ａに示されるようにＳＢＰ及びＤＢＰが共に短い一定の周期で上昇及び下降を示している。図６ＡのＢｂＢの変動を考慮すれば、脈拍ごとに収縮期血圧及び拡張期血圧が共に変動して、完全に同期していることがわかる。また、収縮期血圧及び拡張期血圧のそれぞれの変動は５から１０ｍｍＨｇ程度である。さらに図６Ｂによれば、生体はほとんど動いていない。従って、第２例の現象は典型的な呼吸性変動であるといえる。
【００６３】
本実施形態では、血圧変動が上記呼吸性変動であると判定された場合には、上記血圧変動の検出期間にデータ記憶部１３４に記憶された生体情報を、削除対象としてデータ記憶部１３４から削除する。
【００６４】
（第３例）この例も特徴のない血圧の変動である例であり、血圧変動が体位変化による変動である場合である。ある振幅の値が、その振幅の前後に並ぶ振幅の値から予め定められた基準を超えているとき、その血圧の変動の振幅は非周期的なものとして現れ、血圧測定中の被験者の体位変化に起因したものである。
【００６５】
図７Ａを参照すると、同図の中央部で急激な血圧降下が発生している。その血圧降下時での３軸加速度は、図７Ｂによればいずれの方向でも加速度の値が急変している。この加速度の変化は、生体が動いたことに起因していると思われる。また、Ｚ方向の加速度とＹ方向の加速度の大きさが逆転しているので、生体の体の向きが反転した状態になっていることを示している。従って、第３例の現象は典型定期な体位変化による血圧変動であるといえる。
【００６６】
本実施形態では、血圧変動が上記体位変化による変動であると判定された場合には、上記血圧変動の検出期間にデータ記憶部１３４に記憶された生体情報を、削除対象としてデータ記憶部１３４から削除する。
【００６７】
なお、上述した実施形態での生体情報記録装置１００を変形して、生体情報記録装置とサーバとから構成し、例えばデータ取得部１３１、データ記憶部１３４、データ記録部１３２および通信部１６０だけを生体情報記録装置に備え、生体情報判定部１４０、データ解析部１５０、データ削除部１３３および通信部をサーバに備えるようにしてもよい。この場合、生体情報記録装置は、生体センサ１１０および加速度センサ１２１から出力された計測データをデータ取得部１３１により取得した後、データ記憶部１３４に記憶させると共に、通信部１６０によりサーバへ送信する。サーバは、上記生体情報記録装置から転送された生体および加速度の各測定データをもとに、生体情報判定部１４０およびデータ解析部１５０により血圧変動を判定すると共にその原因を解析する。そして、血圧変動が呼吸性変動または体位変化による変動であると判定された場合には、該当する測定データの削除を行わせるための削除指示データを生体情報記録装置へ送信する。生体情報記録装置は、上記削除指示データを通信部１６０により受信すると、データ削除部１３３により指示された期間の測定データをデータ記憶部１３４から削除する。
【００６８】
なお、生体センサ、加速度センサ、時計及びユーザ入力部１２３は、生体情報記録装置内には設けずに、例えばウェアラブル端末に設けられたものを使用するようにしてもよい。
【００６９】
また、生体情報記録装置は、例えば、生体センサ１１０、加速度センサ１２１、時計部１２２、ユーザ入力部１２３、データ取得部１３１、データ制御部、及び通信部を含み、サーバは、通信部、データ制御部、データ記録部１３２、データ削除部１３３、データ記憶部１３４、データ解析部１５０、及び生体情報変動判定部１４０を含んでもよい。
【００７０】
生体情報記録装置のデータ制御部は、データ取得部１３１が取得した、生体センサ１１０、加速度センサ１２１、及びユーザ入力部１２３からのデータを、通信部を介してサーバへ送信する。
【００７１】
サーバの通信部は、データ取得部１３１からのデータを受信し、サーバのデータ制御部がこのデータを生体情報変動判定部１４０に渡す。生体情報変動判定部１４０が、生体情報記録装置が対象としている生体の生体情報が変動しているかどうかを判定し、データ記録部１３２が生体情報変動判定部１４０から例えばデータ取得部１３１経由で生体の生体情報が変動したかどうかを受け取り、生体の生体情報が変動したと判定した場合には、データ取得部１３１が生体センサ１１０から取得したデータ（生体情報、例えば血圧）をデータ記憶部１３４に記録し始める。その後、データ解析部１５０が、生体情報の時間変動が特徴あるデータ（正常ではないデータ）と判定された場合には例えば、データを削除することなく記録する。  
なお、サーバは例えば、図２に示したスマートデバイス２００またはサーバ３００であり、生体情報記録装置と別体であればよい。
【００７２】
以上によれば、生体情報記録装置は最小の構成とすることができるので、ユーザが装着する装置が小さく重量も軽くすることができ、ユーザの好みに合わせた設計がし易くなる。また、生体情報記録装置の装置部分が少なくなるので、より低価格で提供できる。さらに、生体情報記録装置は計算する量が少なくなるので、メモリ量を削減することができ、またＣＰＵの使用を低減することができる。
【００７３】
以上の実施形態によれば、生体センサ１１０により検出された生体情報が予め設定した正常範囲外に変動すると、上記生体情報がデータ記憶部１３４に記憶されるが、このとき同時に加速度センサ１２１により生体の動きが検出された場合には、上記生体情報がデータ記憶部１３４から削除される。すなわち、生体の動きに因らない生体情報の変動については確実に記録され、生体の動きに起因する生体情報の動きについては記録されない。このため、生体の状態を判定するために必要な生体情報については漏れなく記録した上で、不要な生体情報は記録しないようにすることができ、これによりメモリの容量を削減することができる。
【００７４】
また、呼吸センサ１１３により検出される生体の呼吸状態をもとに、血圧変動が呼吸性変動であるか否かが判定され、呼吸性変動と判定された場合には、データ記憶部１３４に記憶された該当する生体情報が削除される。このため、体位変化が検出されない場合でも、血圧変動が呼吸性変動である場合には、生体情報をデータ記憶部１３４から削除することができ、これによりデータ記憶部１３４の記憶容量をさらに減らすことができる。
【００７５】
前記実施形態では、血圧値が正常範囲外に変動した場合に、このときの生体情報をすべて一旦データ記憶部１３４に記憶し、当該記憶された生体情報が生体の異常によるものか否かを判定し、異常によるものではないと判定された場合には上記生体情報をデータ記憶部１３４から削除するようにした。しかし、この発明はそれに限るものではなく、例えば血圧値の変動の判定と、当該血圧値の変動が生体異常によるものか否かの判定とを並行して行える場合には、このときの生体情報を記憶しないようにしてもよい。このようにすると、一旦記憶した生体情報の削除処理を不要にすることができる。
【００７６】
本発明の装置は、コンピュータとプログラムによっても実現でき、プログラムを記録媒体に記録することも、ネットワークを通して提供することも可能である。  
また、以上の各装置及びそれらの装置部分は、それぞれハードウェア構成、またはハードウェア資源とソフトウェアとの組み合せ構成のいずれでも実施可能となっている。組み合せ構成のソフトウェアとしては、予めネットワークまたはコンピュータ読み取り可能な記録媒体からコンピュータにインストールされ、当該コンピュータのプロセッサに実行されることにより、各装置の機能を当該コンピュータに実現させるためのプログラムが用いられる。
【００７７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００７８】
また、上記の実施形態の一部又は全部は、以下の付記のようにも記載されうるが、以下には限られない。
【００７９】
（付記１）  
ハードウェアプロセッサと、メモリとを備える生体情報記録装置であって、
前記ハードウェアプロセッサは、
生体センサにより検出された生体情報を取得し、
動きセンサにより検出された前記生体の動き情報を取得し、
前記生体情報が予め設定した正常範囲外に変動したか否かを判定し、
前記生体情報が前記正常範囲外に変動した場合でかつ当該生体情報の変動期間と対応する期間に前記生体の動き情報が検出されない場合に前記生体情報を前記メモリに記録し、前記生体情報が前記正常範囲外に変動した場合でかつ当該生体情報の変動期間と対応する期間に前記生体の動き情報が検出された場合には前記生体情報の記録を行わないように制御するように構成される、生体情報記録装置。
【００８０】
（付記２）  
第１ハードウェアプロセッサおよび第１メモリを備える生体情報記録装置と、この生体情報記録装置に対し通信ネットワークを介して接続される、第２ハードウェアプロセッサを備えるサーバとを備えるシステムであって、
前記第１ハードウェアプロセッサは、
生体センサにより検出された生体情報を取得して前記第１のメモリに記録し、
前記取得された生体情報を前記サーバ装置へ転送し、
動きセンサにより検出された前記生体の動き情報を前記サーバ装置へ転送するように構成され、
前記第２ハードプロセッサは、
前記生体情報装置から転送された生体情報が予め設定した正常範囲外に変動したか否かを判定し、
前記判定結果と、前記前記生体情報装置から転送された動き情報とに基づいて、前記生体情報の変動期間と対応する期間に前記生体の動き情報が検出された場合には、前記変動期間に対応する生体情報を前記生体情報記録装置のメモリから削除するように構成される、システム。
【００８１】
（付記３）  
少なくとも１つのハードウェアプロセッサおよびメモリを備える生体情報記録装置が実行する生体情報記録方法であって、
前記ハードウェアプロセッサが、
生体センサから生体の生体情報を取得し、
動きセンサから前記生体の動き情報を取得し、
前記生体情報が予め設定した正常範囲外に変動したか否かを判定し、
前記生体情報が前記正常範囲外に変動した場合でかつ当該生体情報の変動期間と対応する期間に前記生体の動き情報が検出されない場合に、前記生体情報の記録を行い、
前記生体情報が前記正常範囲外に変動した場合でかつ当該生体情報の変動期間と対応する期間に前記生体の動き情報が検出された場合には、前記生体情報の記録を行わないように制御する、生体情報記録方法。
【符号の説明】
【００８２】
１００…血圧変動記録装置、１１０…生体センサ、１１１…血圧センサ、１１２…脈拍センサ、１１３…呼吸センサ、１２１…加速度センサ、１２２…時計部、１２３…ユーザ入力部、１３１…データ取得部、１３２…データ記録部、１３３…データ削除部、１３４…データ記憶部、１４０…生体情報変動判定部、１５０…データ解析部、１６０…通信部、２００…スマートデバイス、３００…サーバ。
【図１】
2018153257.tif 000003
【図２】
2018153257.tif 000004
【図３】
2018153257.tif 000005
【図４】
2018153257.tif 000006
【図５Ａ】
2018153257.tif 000007
【図５Ｂ】
2018153257.tif 000008
【図６Ａ】
2018153257.tif 000009
【図６Ｂ】
2018153257.tif 000010
【図７Ａ】
2018153257.tif 000011
【図７Ｂ】
2018153257.tif 000012